(57)【要約】      （修正有）【課題】標識用板材の、任意の位置への取り付けや取り付け位置の微調整の容易さを備えつつ、現地における取り付けの手間を軽減できる横梁と標識用板材の取付構造を提供する。【解決手段】横梁２０と標識用板材１０とが、横梁受け金具１と横梁固定金具２とで横梁２０を挟持して固定することで標識用板材１０を横梁２０に取り付ける取付構造において、横梁受け金具１を横梁に当接させた状態でボルトの頭部及び／又はナットを用いて取付溝に固定し、且つ横梁固定金具１が横梁受け金具２に取り付けられることで、取付溝に固定された横梁受け金具１に対し横梁固定金具２を取り付けて横梁２０を挟持でき、安定した状態で横梁固定金具２は横梁受け金具１に取り付けられ、作業は簡潔で且つ安全性の高いものとなり得る。【選択図】        図２
2004162398.tif 000002
【特許請求の範囲】
【請求項１】
横梁と標識用板材が取付金具を介して取り付けられ、該取付金具は横梁の上下のいずれかの面に当接する横梁受け金具と、横梁受け金具とで横梁を挟持可能な横梁固定金具とを備え、横梁受け金具は、標識用板材の上下方向に設けられた蟻溝状の取付溝に摺動可能に挿入されたボルトの頭部及び／又はナットにより前記取付溝に取り付けられ、前記横梁受け金具と横梁固定金具の間に横梁を挟持して固定することで標識用板材を横梁に取り付ける取付構造であって、横梁受け金具を横梁に当接させた状態で前記ボルトの頭部及び／又はナットを用いて取付溝に固定し、且つ横梁固定金具が横梁受け金具に取り付けられたことを特徴とする横梁と標識用板材との取付構造。
【請求項２】
標識用板材は、上端付近で縁部方向に沿って横梁に軸着され、横梁受け金具が下方から横梁に当接されて横梁固定金具が取り付けられることを特徴とする請求項１に記載の横梁と標識用板材との取付構造。
【請求項３】
標識用板材は、少なくとも２枚設けられ、横梁に固定された第１の標識用板材に、第２の標識用板材が上端付近で縁部方向に沿って第１の標識用板材に軸着され、横梁受け金具が下方から横梁に当接されて横梁固定金具が取り付けられることを特徴とする請求項１に記載の横梁と標識用板材との取付構造。
【請求項４】
横梁受け金具は、前記横梁と当接される当接面を有し、該当接面より下方で全てのボルト止めが可能となされたことを特徴とする請求項１〜３のいずれかに記載の横梁と標識用板材との取付構造。
【請求項５】
請求項１〜４のいずれかに記載の取付構造を備えたことを特徴とする道路標識。
【請求項６】
請求項１〜４のいずれかに記載の取付構造を備えたことを特徴とする標識雪庇防止板。
【発明の詳細な説明】
【０００１】
【発明の属する技術分野】
本発明は、道路などに設置される道路標識や案内標識等における横梁と標識用板材の取付構造に関するものである。
【０００２】
【従来の技術】
道路標識や案内標識等は、道路利用者に対し情報を提供するものであるが、より情報を明瞭に表示し、且つ道路を走行する車両等に衝突するのを回避すべく、道路周辺に立設された支柱や、擁壁等から横梁を突設し、その横梁に表示板などの標識用板材を取り付けた道路標識や案内標識等が用いられてきている。
【０００３】
従来、横梁への標識用板材や支柱の取付構造として最もよく用いられてきているのは、例えば特許文献１に記載の如く、標識用板材の上下方向に設けられた蟻溝状の取付溝を用いて摺動可能になされた一対のＵバンドにより横梁を挟み込んで固定する方法であり、かかる方法によれば標識用板材を上下左右任意の位置に取り付けることが可能であり、また位置の微調整を行うことも容易である。
【０００４】
【特許文献１】
特開２００１−５３９６号公報
【０００５】
【発明が解決しようとする課題】
しかしながら、従来の取付構造では、Ｕバンドを横梁に固定するにおいて、各々のＵバンドが固定されていない不安定な状態において、貫通孔の位置を合わせてボルト・ナット等を締結する必要があり、現地における取り付けが煩雑となるものであり、更に道路標識の如く、標識用板材が高所に取り付けられるものであれば、その作業には危険が伴うものとなる場合もあり得る。
【０００６】
本発明は、上記の如き問題点に鑑みてなされたものであり、標識用板材の、任意の位置への取り付けや取り付け位置の微調整の容易さを備えつつ、現地における取り付けの手間を軽減できる横梁と標識用板材の取付構造を提供せんとするものである。
【０００７】
【課題を解決するための手段】
上記課題を解決するため、本発明は以下のような構成としている。すなわち、本発明に係わる横梁と標識用板材との取付構造は、横梁と標識用板材が取付金具を介して取り付けられ、該取付金具は横梁の上下のいずれかの面に当接する横梁受け金具と、横梁受け金具とで横梁を挟持可能な横梁固定金具とを備え、横梁受け金具は、標識用板材の上下方向に設けられた蟻溝状の取付溝に摺動可能に挿入されたボルトの頭部及び／又はナットにより前記取付溝に取り付けられ、前記横梁受け金具と横梁固定金具の間に横梁を挟持して固定することで標識用板材を横梁に取り付ける取付構造であって、横梁受け金具を横梁に当接させた状態で前記ボルトの頭部及び／又はナットを用いて取付溝に固定し、且つ横梁固定金具が横梁受け金具に取り付けられたことを特徴とするものである。
【０００８】
本発明によれば、取付溝に固定された横梁受け金具に対し横梁固定金具を取り付けて横梁を挟持できることで、安定した状態で横梁固定金具を横梁受け金具に取り付けることができ、作業は簡潔で、且つ安全性の高いものとなり得る。
【０００９】
また前記標識用板材は、上端付近で縁部方向に沿って横梁に軸着され、横梁受け金具が下方から横梁に当接されて横梁固定金具が取り付けられることを特徴とするものである。
【００１０】
更にまた前記標識用板材は、少なくとも２枚設けられ、横梁に固定された第１の標識用板材に、第２の標識用板材が上端付近で縁部方向に沿って第１の標識用板材に軸着され、横梁受け金具が下方から横梁に当接されて横梁固定金具が取り付けられることを特徴とするものである。
【００１１】
また前記横梁受け金具は、前記横梁と当接される当接面を有し、該当接面より下方で全てのボルト止めが可能となされたことを特徴とするものである。
【００１２】
また本発明に係わる道路標識は、本発明請求項１〜３のいずれかに記載の取付構造を備えたことを特徴とするものである。
【００１３】
また本発明に係わる標識雪庇防止板は、本発明請求項１〜３のいずれかに記載の取付構造を備えたことを特徴とするものである。
【００１４】
【発明の実施の形態】
本発明の実施の形態について、図面に基づき以下に具体的に説明する。
図１〜図６は、本発明に係わる実施の一形態を示すもので、図１及び図２は道路標識全体、図３〜図６は横梁受け金具と横梁固定金具との取り付けの詳細を示す説明図である。図１において、本発明に係わる道路標識１００は、表示面Ｈを有する標識用板材１０が支柱３０により支持された上段の横梁２０Ａ及び下段の横梁２０Ｂに取り付けられているものである。
【００１５】
図２は、道路標識１００の、横梁２０Ａ及び２０Ｂに対する標識用板材１０の取付構造を示す側面図である。まずイ）において、上段の横梁２０Ａに、スペーサー５を介して回動軸４により、標識用板材１０が上端付近で標識用板材１０の縁部に沿って軸着される。一方、標識用板材１０の下方には予め横梁受け金具１が、レール３により上下方向に摺動可能に取り付けられている。
【００１６】
ロ）において、標識用板材１０は回転軸４を中心に回動され、表示面Ｈが斜め下方に向けられ、道路利用者からの視認性を高められる。尚、標識用板材１０は回転軸４を用いて軸着せず、表示面Ｈを斜め下方に向けた状態で、Ｕバンド等で固定してもよい。
【００１７】
次にハ）において、下段の横梁２０Ｂに横梁受け金具１がレール３により下方から摺動されて当接され、更に横梁固定金具２が横梁受け金具１に取り付けられ、横梁受け金具１と横梁固定金具２の間に横梁２０Ｂが挟持されて、標識用板材１０は横梁２０Ａ及び２０Ｂに取り付けられる。
【００１８】
図１及び図２に示す横梁受け金具１及び横梁固定金具２の取付構造の一例の詳細を示す説明図が図３〜図６であり、まず図３において、標識用板材１０には上下方向にレール３がスポット溶接Ｓ等で取り付けられることで、蟻溝状の取付溝３１が設けられる。取付溝３１の横梁受け金具１より下方側には、横梁受け金具１が取付溝３１内を摺動して脱落しないよう、ストッパーを設けておいてもよい。
【００１９】
次に図４において、この取付溝３１に、ボルトＢ２の頭部が挿入され、挿入されたボルトＢ２に、横梁受け金具１に穿設された貫通孔１１が挿通され、ナットＮ２を螺着して仮り止めすることで、横梁受け金具１は標識用板材１０の上下方向に摺動可能に取り付けられる。横梁受け金具１は、上方に面した当接面１２において横梁２０に当接されるが、貫通孔１１は当接面１２より下方に設けられており、ナットＮ２の螺着によるボルト止めは当接面１２より下方で可能となされている。
【００２０】
更に図５において、横梁受け金具１が取付溝３１により摺動されて、横梁２０（図示せず）に当接面１２が当接された状態でナットＮ２が本締めされて固定され、次に横梁固定金具２がその内面２１に横梁２０（図示せず）が当接され、横梁受け金具１と横梁固定金具２とで横梁２０（図示せず）を挟持するように取り付けられる。
【００２１】
最後に、図６において、横梁受け金具１に穿設された貫通孔１３、１４と、横梁固定金具２に穿設された貫通孔２２、２３との位置が合わせられ、それぞれに挿通されたボルトＢ３、Ｂ１にナットＮ３、Ｎ１が螺着され、標識用板材１０は、横梁受け金具１及び横梁固定金具２といった取付金具により横梁２０に固定される。貫通孔１３は当接面１２より下方に穿設され、また貫通孔２３にねじ山を螺刻しておくか、貫通孔２３の上方にナットを固着しておくことで、ボルトＢ１及びボルトＢ３の螺着は、当接面１２より下方において行うことが可能となり、当接面より下方で全てのボルト止めが可能となされる。。
【００２２】
かかる取付構造により、取付溝３１に固定された横梁受け金具１に対し横梁固定金具２を取り付けて横梁２０を挟持できることで、安定した状態で横梁固定金具２を横梁受け金具１に取り付けることができ、作業は簡潔で、且つ安全性の高いものとなり得る。更に、予め標識用板材１０に横梁受け金具１を摺動可能に仮り止めしておけば、上段の横梁２０Ａ及び下段の横梁２０Ｂの間隔に関わらず取付構造が適用できると共に、横梁２０Ｂ付近で取り付けを行う部材は横梁固定金具２だけで済み、部材を高所まで運搬する手間や、高所における部材の支持に要する労力を軽減できる。
【００２３】
また、標識用板材１０が上端付近で標識用板材１０の縁部に沿って横梁２０Ａに軸着され、且つ横梁受け金具１が下方から横梁２０Ｂに当接されて横梁固定金具２が取り付けられることで、表示面Ｈを下方に傾斜させる角度を任意に設定することができる。また、回転軸４と横梁受け金具１とで標識用板材１０に張力が生じた状態で横梁固定金具２の取り付けが行え、横梁固定金具２の取り付け時の安定感を高めることができる。更に、上方の回転軸４と、下方の横梁受け金具１及び横梁固定金具２との２点で標識用板材１０は支持され、取り付け後の風荷重等に対する強度が高められる。
【００２４】
更に、横梁受け金具１及び横梁固定金具２の取り付けに係わる全てのボルト止めが当接面１２より下方から可能となされており、ボルト止めの際に横梁２０が障害となることがなく、また取り付けに係わるスペースが小さい場合でもボルト止めは容易なものとなり得る。
【００２５】
図７〜図９は、本発明に係わる横梁と標識用板材の取付構造の、他の実施形態を示すものである。図７は、標識雪庇防止板が取り付けられた道路標識を示す説明図であり、道路標識１００は、支柱３０に取り付けられた横梁２０Ａ及び２０Ｂに表示面（図示せず）を有する標識用板材１０Ａが取り付けられ、更に横梁２０Ａ及び２０Ｂ上への冠雪を防止する標識雪庇防止板として、標識用板材１０Ｂが取り付けられたものである。標識用板材１０Ｂの表面には、超撥水性被覆層や滑雪氷性被覆層を設けて着雪を防止しておくのが好ましい。
【００２６】
図８は、標識用板材１０Ｂの取付部の詳細を示す説明図であり、標識用板材１０Ａには取付部材６が設けられ、回転軸４が設けられた取付部材７に標識用板材１０Ｂが取り付けられている。取付部材７には雪割板Ｙの一端が櫛の歯状部Ｋに挿入されることで角度変更可能となされ、常に垂直に取り付けることが可能である。取付部材７に設けられた回転軸４が、取付部材６の一部に嵌入されて軸着されることで、標識用板材１０Ｂは上端付近で、標識用板材１０Ｂの縁部に沿って標識用板材１０に軸着され、その傾斜角度は自在に設定可能となる。かかる標識用板材１０Ｂは、既に設置されている道路標識等に対しても、取付部材６を取り付けるのみで後付け可能なものである。
【００２７】
図９は、標識用板材１０Ｂの取り付けを示す側面図で、まずイ）において、表示面Ｈを有する標識用板材１０Ａは横梁２０Ａ及び２０Ｂに、スペーサー５により表示面Ｈが下方に傾斜されて固定されている。標識用板材１０Ａの固定方法は公知のものでよく、図１〜図６に示す如きものでもよい。更に下方にレール３に横梁受け金具１が摺動可能に予め取り付けられた標識用板材１０Ｂが、取付部材７に設けられた回転軸４を、標識用板材１０Ａに取り付けられた取付部材６に嵌入して軸着することで標識用板材１０Ａに取り付けられる。
【００２８】
次にロ）において、標識用板材１０Ｂが回転軸４を中心に回動され、横梁２０Ａに標識用板材１０Ｂの内面又はレール３が当接される。かかる構造は、横梁２０Ａの位置が一定でなくとも標識用板材１０Ｂは取付可能であり、横梁２０Ａがあらゆる位置に設けられた道路標識等に対し適用できるものである。最後にハ）において、横梁受け金具１がレール３により摺動されて、下方から横梁２０Ａに当接され、横梁受け金具１に横梁固定金具２が、横梁２０Ａを挟持するように取り付けられて、標識用板材１０Ｂは横梁２０Ａに取り付けられる。
【００２９】
かかる取付構造により、前述の如く、安定した状態で横梁固定金具２を横梁受け金具１に取り付けることができ、作業は簡潔で、且つ安全性の高いものとなり得ると共に、部材を高所まで運搬する手間や、高所における部材の支持に要する労力を軽減できる。
【００３０】
更に、横梁受け金具１と横梁固定金具２の取り付けにおいて、図３〜図６に示した実施形態の如く、当接面１２より下方で全てのボルト止めが可能となされていれば、２枚の標識用板材１０Ａ、１０Ｂ間のスペースが小さいものであっても、比較的広く開かれた下方のみからボルト止めを行うことができ、本発明により得られる効果は更に大きなものとなる。
【００３１】
本発明に係わる取付構造を備えた道路標識や標識雪庇防止板は、部材を高所まで運搬する手間や、高所に於ける部材の支持に要する労力を軽減でき、且つ取り付けに係わるスペースが狭いものであっても一方向からの取り付けが可能なものであり、取り付けに係わる安全性や容易性を具備したものとなり得る。
【００３２】
【発明の効果】
本発明によれば、取付溝に固定された横梁受け金具に対し横梁固定金具を取り付けて横梁を挟持できることで、安定した状態で横梁固定金具を横梁受け金具に取り付けることができ、作業は簡潔で、且つ安全性の高いものとなり得る。更に、予め標識用板材に横梁受け金具を摺動可能に仮り止めしておけば、上段の横梁及び下段の横梁の間隔に関わらず取付構造が適用できると共に、横梁付近で取り付けを行う部材は横梁固定金具だけで済み、部材を高所まで運搬する手間や、高所における部材の支持に要する労力を軽減できる。
【図面の簡単な説明】
【図１】本発明に係わる取付構造が適用される道路標識を示す説明図である。
【図２】本発明に係わる実施の一形態を示す側面図である。
【図３】本発明に係わる取付構造の、実施の一形態を示す説明図である。
【図４】本発明に係わる取付構造の、実施の一形態を示す説明図である。
【図５】本発明に係わる取付構造の、実施の一形態を示す説明図である。
【図６】本発明に係わる取付構造の、実施の一形態を示す説明図である。
【図７】本発明が適用される標識雪庇防止板を示す説明図である。
【図８】本発明に係わる取付構造の、取り付けの詳細を示す説明図である。
【図９】本発明に係わる他の実施形態を示す側面図である。
【符号の説明】
１    横梁受け金具
１２  当接面
２    横梁固定金具
３    レール
３１  取付溝
４    回転軸
１０、１０Ａ、１０Ｂ  標識用板材
２０Ａ、２０Ｂ  横梁
【図１】
2004162398.tif 000003
【図２】
2004162398.tif 000004
【図３】
2004162398.tif 000005
【図４】
2004162398.tif 000006
【図５】
2004162398.tif 000007
【図６】
2004162398.tif 000008
【図７】
2004162398.tif 000009
【図８】
2004162398.tif 000010
【図９】
2004162398.tif 000011